(57)【特許請求の範囲】
【請求項１】
開口部を有するケース内に、虫を誘引するための誘虫灯と、前記誘虫灯の光に誘引された前記虫を付着捕獲するための粘着性シートとを備え、
前記粘着性シートの少なくとも一面上の一部の領域を撮像可能なカメラを、前記粘着性シートに対面させて、前記一面上の所定領域のうち前記カメラの撮像領域に含まれない部分がなくなるように複数配置し、
前記カメラの撮像制御を行う制御装置を備え、前記制御装置は外部からの指令に応じて前記撮像領域を選択的に撮像可能に構成されること、
を特徴とする捕虫装置。
【請求項２】
請求項１に記載の捕虫装置であって、
前記ケースの両側面に前記虫が通過可能な開口部が設けられること、
を特徴とする捕虫装置。
【請求項３】
請求項１又は２に記載の捕虫装置であって、
前記制御装置は、前記複数のカメラのそれぞれが順次前記一部の領域を撮像するように制御し、撮像した画像データを外部に出力した後に次のカメラの制御を行っていくこと、
を特徴とする捕虫装置。
【請求項４】
請求項１乃至３のいずれか１項に記載の捕虫装置であって、
前記粘着性シートの前記一面を照明する第１の照明手段と、前記粘着性シートの他の一面を照明する第２の照明手段とを備え、
前記制御装置は、前記第１の照明手段を点灯させて前記カメラにより撮像させた第１の画像データと、前記第２の照明手段を点灯させて前記カメラにより撮像させた第２の画像データを取得すること、
を特徴とする捕虫装置。
【請求項５】
開口部を有するケース内に、虫を誘引するための誘虫灯と、前記誘虫灯の光に誘引された前記虫を付着捕獲するための粘着性シートとを設置し、
前記粘着性シートに対面させて、前記粘着性シートの少なくとも一面上の一部の領域を撮像可能な複数のカメラを、前記一面上において前記カメラのいずれにも撮像されない領域がなくなるように設置し、
外部からの指令に応じて前記カメラの撮像領域を選択的に撮像することができるように、前記カメラの撮像制御を行う制御装置を設定すること、
を特徴とする捕虫装置の製造方法。
【請求項６】
開口部を有するケース内に、虫を誘引するための誘虫灯と、前記誘虫灯の光に誘引された前記虫を付着捕獲するための粘着性シートとを設置し、
前記粘着性シートに対面させて、前記粘着性シートの少なくとも一面上の一部の領域を撮像可能な複数のカメラを、前記一面上において前記カメラのいずれにも撮像されない領域がなくなるように設置し、
前記複数のカメラを順次または同時に作動させ、または、外部からの指令に応じて前記カメラの撮像領域を選択的に撮像させ、前記カメラが撮像した画像データを合成して合成画像データを作成すること、
を特徴とする虫の監視方法。
【発明の詳細な説明】
【技術分野】
【０００１】
本発明は、捕虫装置、捕虫装置の製造方法および虫の監視方法に関する。
【背景技術】
【０００２】
捕虫装置が、虫を捕獲駆除することを主な目的として工場や店舗等に設置されている。衛生管理を要する工場や店舗等などでは、虫を捕獲駆除するだけでなく、捕えた虫の種類や数などの捕獲状況を把握することが要求されている。そこで、粘着性シートに付着した虫の種類や数などの捕獲状況を、ＣＣＤカメラで撮像することが行われている（例えば特許文献１参照）。また特許文献２には、走行台に載置したＣＣＤカメラをモーターにより動かすことで粘着性シートに付着した虫を撮像する捕虫装置が開示されている。
【先行技術文献】
【特許文献】
【０００３】
【特許文献１】特開２００４−２６１１５５号公報
【特許文献２】特開２０１２−１９６９７号公報
【発明の概要】
【発明が解決しようとする課題】
【０００４】
しかしながら、特許文献１のように１つのカメラで粘着性シートの全面を撮影していることから、撮像画像において微細な虫の判別を行うことが困難であり、また、粘着性シートとカメラとの距離を確保しなければならないことから、装置のコンパクト化が困難であった。特許文献２の捕虫装置では、モーターによりＣＣＤカメラを動かすことにより、カメラと粘着性シートとの距離は近くなるものの、モーターを設置するために大きな空間が必要であった。
【０００５】
本発明は、このような背景を鑑みてなされたものであり、コンパクトに製作することのできる捕虫装置、捕虫装置の製造方法および虫の監視方法を提供することを目的とする。
【課題を解決するための手段】
【０００６】
上記課題を解決するための本発明の主たる発明は、捕虫装置であって、開口部を有するケース内に、虫を誘引するための誘虫灯と、前記誘虫灯の光に誘引された前記虫を付着捕獲するための粘着性シートとを備え、前記粘着性シートの少なくとも一面上の一部の領域を撮像可能なカメラを、前記粘着性シートに対面させて、前記一面上の所定領域のうち前記カメラの撮像領域に含まれない部分がなくなるように複数配置し、前記カメラの撮像制御を行う制御装置を備え、前記制御装置は外部からの指令に応じて前記撮像領域を選択的に撮像可能に構成されることを特徴とする。
【０００７】
また、本発明の捕虫装置では、前記ケースの両側面に前記虫が通過可能な開口部が設けられるようにしてもよい。
【０００８】
また、本発明の捕虫装置は、前記制御装置は、前記複数のカメラのそれぞれが順次前記一部の領域を撮像するように制御し、撮像した画像データを外部に出力した後に次のカメラの制御を行っていくようにしてもよい。
【０００９】
また、本発明の捕虫装置は、前記粘着性シートの前記一面を照明する第１の照明手段と、前記粘着性シートの他の一面を照明する第２の照明手段とを備え、前記制御装置は、前記第１の照明手段を点灯させて前記カメラにより撮像させた第１の画像データと、前記第２の照明手段を点灯させて前記カメラにより撮像させた第２の画像データを取得するようにしてもよい。
【００１０】
また、本発明の他の態様は、捕虫装置の製造方法であって、開口部を有するケース内に、虫を誘引するための誘虫灯と、前記誘虫灯の光に誘引された前記虫を付着捕獲するための粘着性シートとを設置し、前記粘着性シートに対面させて、前記粘着性シートの少なくとも一面上の一部の領域を撮像可能な複数のカメラを、前記一面上において前記カメラのいずれにも撮像されない領域がなくなるように設置し、外部からの指令に応じて前記カメラの撮像領域を選択的に撮像することができるように、前記カメラの撮像制御を行う制御装置を設定することとする。
【００１１】
また、本発明の他の態様は、虫の監視方法であって、開口部を有するケース内に、虫を誘引するための誘虫灯と、前記誘虫灯の光に誘引された前記虫を付着捕獲するための粘着性シートとを設置し、前記粘着性シートに対面させて、前記粘着性シートの少なくとも一面上の一部の領域を撮像可能な複数のカメラを、前記一面上において前記カメラのいずれにも撮像されない領域がなくなるように設置し、前記複数のカメラを順次または同時に作動させ、または、外部からの指令に応じて前記カメラの撮像領域を選択的に撮像させ、前記カメラが撮像した画像データを合成して合成画像データを作成することとする。
【００１２】
その他本願が開示する課題やその解決方法については、発明の実施形態の欄及び図面により明らかにされる。
【発明の効果】
【００１３】
本発明によれば、捕虫装置をコンパクトに製作することができる。
【図面の簡単な説明】
【００１４】
【図１】本発明の捕虫装置の一実施形態の外観斜視図である。
【図２】捕虫装置のＡ−Ａ断面図である。
【図３】制御装置８の構成例を示す図である。
【図４】捕虫装置１を用いた遠隔閲覧システムの構成図である。
【発明を実施するための形態】
【００１５】
以下、本発明の実施形態に係る捕虫装置について図面を参照して説明する。  
図１は、本発明の捕虫装置の一実施形態である捕虫装置１の外観斜視図である。図２は、捕虫装置１のＡ−Ａ断面図である。
【００１６】
図１および図２に示すように、捕虫装置１は、捕虫ケース３と、捕虫ケース３内に設けられた誘虫灯４と、捕虫ケース３の下部に儲けられたトレー５に保持される、誘引された虫を付着させて捕獲するための粘着性シート１８（捕虫紙）と、光源（不図示）からの光を拡散させて粘着性シート１８の上面１８ａ側を照明する上部導光板２３と、光源（不図示）からの光を拡散させて粘着性シート１８の下面１８ｂ側を照明する下部導光板２４と、粘着性シート１８の上面１８ａを撮影する複数のＣＣＤカメラ６と、誘虫灯４ならびに上部導光板２３および下部導光板２４の光源（不図示）の点灯および消灯ならびにＣＣＤカメラ６の撮像動作を制御する制御装置８とを備えている。
【００１７】
捕虫ケース３は、取り付け用のブラケット２を備えた直方体状の筐体であり、底板３ａと、底板３ａの長辺に立設された側板３ｂと、底板の短辺に立設された端板３ｃと、上板３ｄとを有する。図２に示すように、捕虫ケース３内には、虫を捕獲する捕獲部１４と、ＣＣＤカメラ６および制御装置８を収容する撮像機器収容部１５とが形成されている。また、捕虫ケース３内には、捕獲部１４と撮像機器収容部１５とを上下に区画する仕切板３ｅが設けられている。
【００１８】
捕虫ケース３の両側の側板３ｂにはそれぞれ、虫が通過可能な開口部１６が形成されている。開口部１６は、これを通過した虫が捕獲部１４内に入るように形成されている。なお、開口部１６には、所定の大きさ以上の物体（大型昆虫など）が捕虫ケース３内に入り込まないように格子を設けるようにしてもよい。
【００１９】
粘着性シート１８および誘虫灯４は、捕獲部１４内に設けられている。粘着性シート１８は、虫を粘着作用によって付着させて捕獲するもので、例えば紙の表面に粘着剤が塗布されたものを使用できる。図示例では上面１８ａが粘着面とされる。下面１８ｂは粘着面ではないことが好ましい。粘着性シート１８は、ある程度の光透過性を有することが好ましい。底板３ａに平行して捕虫ケース３から引出し方式で着脱（抜き差し）自在なトレー５が設けられ、トレー５にはセット部２０が設けられ、トレー５のセット部２０には粘着性シート１８が装着される。図示例では、粘着性シート１８は、底板３ａに平行に張架されているため、捕虫ケース３の長手方向に沿って延在している。
【００２０】
誘虫灯４は、粘着性シート１８の粘着面（一方面）である上面１８ａを照明できる位置に設けられている。また、後述するように誘虫灯４はＣＣＤカメラ６が粘着性シート１８の上面を撮像することができるように設けられる。誘虫灯４としては、例えば蛍光管や水銀灯などを用いることができ、例えば蠅などの小型昆虫が好む周波数である３７０ｎｍ付近の波長の光を出射するものが好適である。図示例の誘虫灯４は、捕虫ケース３の長手方向に沿う円筒状のものである。
【００２１】
上部導光板２３は仕切板３ｅに設けられており、粘着性シート１８の上面１８ａに上方から光を当てることができる。下部導光板２４は、底板３ａ上に設けられており、粘着性シート１８の下面１８ｂに下方から光を当てることができる。上部導光板２３および下部導光板２４に光を与える光源としては、特に限定されないが、例えば蛍光灯や発光ダイオード等を使用できる。
【００２２】
ＣＣＤカメラ６は、粘着性シート１８に付着した虫の捕獲状況を撮影する撮像装置である。ＣＣＤカメラ６は、粘着性シート１８の上面１８ａに対面して撮像機器収容部１５内に設けられている。ＣＣＤカメラ６は、粘着性シート１８の上面１８ａのうちトレー５からＣＣＤカメラ６に対して露出している部分（以下、露出部分６ｃという。本発明の所定領域に対応する。）の全部を撮像することができるように、複数設けられる。粘着性シート１８の上面１８ａの露出部分６ｃにおいてＣＣＤカメラ６のいずれの撮像領域６ａにも含まれない領域がなくなるような数および配置にてＣＣＤカメラ６が設置されるものとする。ＣＣＤカメラ６は粘着性シート１８上の所定点に合焦するように設定される。本実施形態では、図１に示すように、ＣＣＤカメラ６が撮像可能な粘着性シート１８上の撮像領域６ａは隣接するＣＣＤカメラ６の撮像領域６ａと端部において重なるように設置されるものとする。なお、ＣＣＤカメラ６に代えて、ビデオカメラなどであってもよい。
【００２３】
本実施形態では撮像機器収容部１５と捕獲部１４を区画する仕切板３ｅは、例えばガラス、プラスチックなど透過性のある材料からなるものとする。したがって、ＣＣＤカメラ６は透明な仕切板３ｅを通して粘着性シート１８を撮像可能となる。なお、仕切板３ｅに開口部を設け、ＣＣＤカメラ６がこの開口部を通して撮像するようにしてもよい。
【００２４】
撮像機器収容部１５には制御装置８も設置される。制御装置８は、誘虫灯４、上部導光板２３および下部導光板２４の点灯および消灯を制御するとともに、ＣＣＤカメラ６の動作を制御することができる。制御装置８により、ＣＣＤカメラ６による撮像時に、点灯および消灯の切り替えを容易に行うことができる。
【００２５】
捕虫ケース３の一方の側板３ｂには、外部から操作可能なスイッチ９が設けられ、一方の端板３ｃには、外部の装置に接続するための通信ケーブル（不図示）と接続可能な通信コネクタ１０が設けられる。制御装置８は、通信コネクタ１０を介して外部の装置にＣＣＤカメラ６による撮像データを送信することができる。
【００２６】
図３は制御装置８の構成例を示すブロック図である。制御装置８は、例えばＣＰＵ８１により制御される制御回路で構成された制御ボードとして構成される。制御装置８はさらに、ＣＣＤカメラ６によって撮像された撮像データを記憶するメモリ８２と、外部との通信を行う送受信部８３と、撮像動作の制御を行う撮像制御部８４と、上部導光板２３および下部導光板２４ならびに誘虫灯４の点消灯を制御する照明制御部８５とを備える。制御装置８の送受信部８３は、メモリに記憶された撮像データを、通信コネクタ１０を介して外部に送出する。また、送受信部８３は、外部から動作プログラムなどを含む制御データを受信することでＣＣＤカメラ６を動作制御するようにも構成されている。なお、送受信部８３、撮像制御部８４および照明制御部８５はそれぞれ、メモリ８２に記憶されたプログラムをＣＰＵ８１が実行することでソフトウェアとして実現するようにしてもよいし、トランジスタ等を用いた回路（ハードウェア）として実現するようにしてもよい。
【００２７】
このように捕虫装置１を例えば外部の監視装置に通信可能に接続させ、捕虫装置１を遠隔から管理するネットワークシステムを構築すれば、撮像データを解析して検出した捕獲された虫に関する情報（例えば虫の数が基準値以上である場合や、不適切な種類の虫が混入した場合など）を一元化して管理することができる。したがって、作業員等はこの情報を参照して駆除作業等の作業計画を立案することが容易となる。
【００２８】
制御装置８は、上部導光板２３からの光が上面１８ａに反射した光による画像（反射光画像）と、下部導光板２４からの光が粘着性シート１８を透過した光による画像（透過光画像）とを照合し、透過光画像により特定した虫の形状および大きさの情報に基づいて、反射光画像において虫の画像を抽出するように構成してもよい。
【００２９】
電源８７は、スイッチ９がオンされると、ＣＰＵ８１に対して制御用電源として電力を供給する。コネクタ８６は、動作プログラムなどを含む制御データが格納された記憶媒体との接続を行えるようになっており、サーバー３２との通信を行わなくても、セッティングされた捕虫装置１毎にＣＰＵ８１による独自の動作制御が行えるように異なる動作プログラムやそのパラメータを実行させることが可能となっている。
【００３０】
ＣＣＤカメラ６の撮像の操作は、所定の制御データ（動作プログラム）に基づいて制御装置８により行われる。制御装置８は、ＣＣＤカメラ６を１つずつ順次撮像させていく。すなわち、制御装置８は、あるＣＣＤカメラ６を作動させ、当該ＣＣＤカメラ６から撮像データを取得すると、取得した撮像データを外部に送出し、送出処理が完了したところで次のＣＣＤカメラ６を作動させていく。したがって、図１のように６つのＣＣＤカメラ６が設置され、ＣＣＤカメラ６による撮像に２秒かかるとすると、粘着性シート１８の上面１８ａ全体を撮像するのに１２秒かかることになる。制御装置８により制御されるＣＣＤカメラ６の撮像は任意の時間毎に行われる。なお、ＣＣＤカメラ６の撮像制御は、外部のサーバー３２から任意の番号、例えば３番と８番の撮像領域を撮像する指令を受けることにより当該番号の撮像領域を撮像するものであってもよい。また、制御装置８が備えるメモリ８２の記憶容量が十分に大きい場合には、制御装置８は、複数のＣＣＤカメラ６を同時に作動させて、複数の撮像データをメモリ８２に格納し、送受信部８３はメモリ８２に格納された複数の撮像データを、同時または順次に送出するようにしてもよい。
【００３１】
まず、捕虫装置１の製造方法について説明する。  
捕虫装置１は、捕獲部１４と撮像機器収容部１５とを上下に区画するように仕切板３ｅが設けられた捕虫ケース３の底板３ａに下部導光板２４を設置し、粘着性シート１８を設置したトレー５を、下部導光板２４から発せられる光が粘着性シート１８を透過するように下部導光板２４よりも上方に配置する。捕虫ケース３内の撮像機器収容部１５には制御装置８およびＣＣＤカメラ６を設置し、粘着性シート１８よりも上方に誘虫灯４を設け、仕切板３ｅの下面には上部導光板２３を設ける。ＣＣＤカメラ６は、透明な仕切板３ｅを通して粘着性シート１８の上面１８ａを撮像できるように設置し、上面１８ａに合焦するように設定する。また、ＣＣＤカメラ６は、粘着性シート１８の上面１８ａの露出部分６ｃにおいてＣＣＤカメラ６のいずれの撮像領域６ａにも含まれない領域がなくなるように複数配置する。複数のＣＣＤカメラ６は、各ＣＣＤカメラ６の撮像領域６ａが隣接するＣＣＤカメラ６の撮像領域６ａに端部が重なるように配置する。誘虫灯４は、ＣＣＤカメラ６による撮像可能範囲６ｂの外に配置する。上部導光板２３は、ＣＣＤカメラ６による撮像を妨げないように配置する。なお、上部導光板２３に開口部を設け、当該開口部を通してＣＣＤカメラ６に粘着性シート１８の上面１８ａを撮像させるようにしてもよい。
【００３２】
このように製造した捕虫装置１を設置するに際しては、まずトレー５のセット部２０には粘着性シート１８に代えて格子板（格子形状が印刷された板であってもよいし、板が格子形状であってもよい。）を配置し、制御装置８によりＣＣＤカメラ６を作動させて、ＣＣＤカメラ６の収差等の較正を行う。較正用のパラメータは制御装置８のメモリ８２に記憶させてもよいし、制御装置８から外部に送信し、外部の装置において記憶するようにしてもよい。ＣＣＤカメラ６の較正が終わると、トレー５を引き出し、格子板に代えて粘着性シート１８を設置してトレー５を戻す。
【００３３】
次に、捕虫装置１の使用方法について説明する。  
制御装置８の照明制御部８５は誘虫灯４を点灯し、誘虫灯４の点灯によって誘引された虫が、開口部１６を通して捕虫ケース３の捕獲部１４内に入り、粘着性シート１８の上面１８ａに接触すると、粘着性シート１８の粘着作用によって捕獲される。
【００３４】
粘着性シート１８による捕獲状況を把握するため、粘着性シート１８の上面１８ａを、ＣＣＤカメラ６を用いて撮像する。撮像はまず、上部導光板２３のみを用いて行う。すなわち、制御装置８の照明制御部８５が、誘虫灯４を消灯状態とし、上部導光板２３を点灯状態とし、下部導光板２４を消灯状態とした後に、撮像制御部８４がＣＣＤカメラ６を起動して撮像を行う。なお、上部導光板２３に代えて誘虫灯４を光源として用いるようにしてもよい。
【００３５】
上部導光板２３のみを用いた場合、上部導光板２３は粘着性シート１８の上面１８ａ側に設けられているため、ＣＣＤカメラ６による撮像画像は、上部導光板２３からの光が上面１８ａに反射した光による反射光画像となる。反射光画像では、虫の影が撮像されたり、上面１８ａからの反射により光のムラが生じたりすることがあるが、虫の画像自体は比較的鮮明であり、色彩や模様などの情報が得られやすい。また、羽根などの半透明部分についても特定しやすい。
【００３６】
撮像制御部８４は、１つのＣＣＤカメラ６による撮像動作が完了すると、ＣＣＤカメラ６による撮像データをメモリ８２に格納して送受信部８３を呼び出す。送受信部８３はメモリ８２に格納されている撮像データを外部の装置に送出する。なお、送受信部８３は、撮像データを撮像したＣＣＤカメラ６を特定する情報（例えばＣＣＤカメラ６ごとに割り当てた装置ＩＤとすることができる。）を撮像データに付帯させて送出するものとする。撮像制御部８４は、送受信部８３による撮像データの送出処理が終わると次のＣＣＤカメラ６を起動していく。全てのＣＣＤカメラ６により反射光画像の撮像が行われると、次に粘着性シート１８の下面１８ｂ側に設置された下部導光板２４のみを用いた撮像を行う。すなわち、照明制御部８５が上部導光板２３を消灯状態とし、下部導光板２４を点灯状態として、撮像制御部８４がＣＣＤカメラ６を起動して透過光画像の撮像を行う。上記と同様にＣＣＤカメラ６は順次撮像を行い、撮像データが外部に送出されていく。
【００３７】
透過光画像では、逆光のため虫自体の画像は暗くなり色彩や模様などはわかりにくいが、虫の影はほとんど形成されず、光のムラも生じにくいため、形状（外形）、大きさ、および位置に関しては正確な情報が得られる。  
なお、上記反射光画像の撮像と透過光画像の撮像とを繰り返し行うようにしてもよい。
【００３８】
本実施形態では、反射光画像に加えて透過光画像が出力されるようになるため、これらを照合し、透過光画像により特定した虫の形状（外形）、大きさ、位置などの情報に基づいて、反射光画像において虫自体の画像を特定することができる。反射光画像によれば、虫の色彩や模様等を特定できるため、透過光画像により特定される虫の形状（外形）、大きさに加えて、色彩や模様なども正確に把握でき、画像解析精度の向上を図ることができる。従って、捕獲した虫の数や種類などの捕獲状況を正確に知ることができる。
【００３９】
次に、捕虫装置１を用いた遠隔閲覧システムについて、図４を参照しつつ説明する。図４に示すように、遠隔閲覧システムは、捕虫装置１と、捕虫装置１で得られた撮像データを転送する転送装置３１と、サーバー３２とを備えている。
【００４０】
サーバー３２は、捕虫装置１から各ＣＣＤカメラ６により撮像された撮像データを受信し、受信した撮像データを合成して、粘着性シート１８の上面１８ａの露出部分６ｃの全部を表す画像データ（以下、合成画像データという。）を作成する。サーバー３２による撮像データの合成処理については一般的なものを採用することができるが、例えば、各撮像データについて、隣接するＣＣＤカメラ６の撮像データを縦横それぞれの方向にずらしながら重なった画素の差が最小となるようなずらし幅（オフセット）を決定して、当該ずらし幅で撮像データをずらしながら合成を行うようにすることができる。これにより、重複する領域のない合成画像データを作成することができる。なお、ずらし幅は、２つの撮像データが重ならないように並べた状態を０（ゼロ）として、重なり合う方向に所定の最大値まで増加させながら画素の差を計算するようにしてもよい。
【００４１】
サーバー３２には、通信ネットワーク３３を介して監視装置３４が接続可能であり、監視装置３４では、サーバー３２を介して撮像データの閲覧が可能になっている。通信ネットワーク３３は例えばインターネットやＬＡＮ（Local Area Network）である。
【００４２】
本遠隔監視システムでは、複数のＣＣＤカメラ６により撮像された撮像データを転送するため、転送するデータの容量が大きくなることから、転送装置３１が用いられている。遠隔閲覧システムでは、合成画像データを閲覧することができる。また、撮像データに基づいて自動計測された虫の捕獲数（１日ごとの捕獲数や累計数など）を閲覧することができるようにすることも可能である。
【００４３】
この遠隔閲覧システムによれば、監視装置３４によって撮像データおよび捕獲数をリアルタイムで確認できる。なお、図示例では、１台の監視装置３４のみが開示されているが、監視装置の数は複数であってもよい。
【００４４】
以上説明したように、本実施形態の捕虫装置１では、捕虫空間を存して、粘着性シート１８とＣＣＤカメラ６が対向した配置構成となっているため、粘着性シート１８に付着した虫の捕獲状況をＣＣＤカメラ６によって把握することができる。また、複数のＣＣＤカメラ６を用いて粘着性シート１８の上面１８ａの露出部分６ｃを全部撮像することができるので、解析精度の高い捕虫情報の取得が可能となる。しかも、誘虫灯４、粘着性シート１８、ＣＣＤカメラ６などの構成部材を、捕虫ケース３内にパッケージ化させて備えることが可能となり、捕虫装置１自体を、ＣＣＤカメラ６など一般の撮像手段を有しない誘虫灯４と粘着性シート１８のみからなる捕虫装置と変わらない大きさを持ってコンパクトに製作することができ、設置スペースの確保やその取り扱いが容易となる。これにより、捕虫装置１の工場や店舗等への導入意欲を喚起することができる。なお、ＣＣＤカメラ６が粘着性シート１８の上面１８ａに対向して配置される構成であれば、捕虫ケース３を、捕獲部１４と撮像機器収容部１５とを別体のものとして製作し、組み付けるようにしても良い。
【００４５】
また、制御装置８により、位置決めされた固定の複数のＣＣＤカメラ６を連続的に作動させることができるので、接写により精度良く撮像することが可能となる。また、例えば撮像領域６ａ毎に番号を付して、これら撮像データを連続したパノラマ映像として繋ぎ合わせる編集を行うことが可能となる。これにより、粘着性シート１８の露出部分６ｃ全域につき解析精度の高い捕虫情報が取得できる。
【００４６】
また、粘着性シート１８は、捕虫ケース３に設けられたトレー５に装着され、トレー５は捕虫ケース３に対して引出し方式で着脱自在に構成されているので、粘着性シート１８の取り替え作業が容易にできる。
【００４７】
また、モーターなどによりＣＣＤカメラ６を動かす必要がないので、ＣＣＤカメラ６を移動させるために必要な機構が不要となる。したがって、捕虫ケース３の両側の側板３ｂに開口部１６を設けることが可能となるので、虫の誘引を効率良く行うことができる。
【００４８】
また、本実施形態の捕虫装置１では、捕虫ケース３内の粘着性シート１８で捕虫した虫の種類や数等の捕獲状況を把握するのであるが、捕虫装置１は、捕獲部１４内において、開口部１６から所定間隔を存してその奥行き方向に誘虫灯４が配設させることで、開口部１６と誘虫灯４との間に虫を捕獲するための所定の捕虫空間を形成させ、この捕虫空間の一側（下側）に粘着性シート１８を、開口部１６に対してそのシート面が直交方向（上側）を向くよう長さ（左右）方向に沿って配設し、さらに、捕虫空間を存した他側（上側）にＣＣＤカメラ６を、粘着性シート１８に付着した虫の捕獲状況を撮像できるように、粘着性シート１８に対面させ、かつ、シート面の長さ方向に沿って複数配設されている。
【００４９】
また、本実施形態の捕虫装置１を用いることにより、検出された捕虫情報に基づいて、虫の数が基準値以上である場合や、不適切な種類の虫が混入した場合などの対処を一元化して管理することができる。
【００５０】
また、誘虫灯４および粘着性シート１８が配設され、捕虫空間が形成された領域を捕獲部１４とし、ＣＣＤカメラ６などの機器を収容する領域を撮像機器収容部１５として構成せしめ、捕獲部１４は、撮像機器収容部１５とは透明な仕切板３ｅにより仕切られて密封形成されるので、撮像機器収容部１５内に虫が侵入してしまうことを確実に防止でき、しかも、捕獲部１４と撮像機器収容部１５が密封されていても撮像することができ、誘虫灯４の配設位置との関係で、その光を遮りＣＣＤカメラ６が直接受光してしまうこと防止すると共に、誘虫灯４がＣＣＤカメラ６より下側（前側）に配置されていても、粘着性シート１８の面を照光する撮影用に好適な光源として利用することができる。
【００５１】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００５２】
１      捕虫装置
２      ブラケット
３      捕虫ケース
３ａ    底板
３ｂ    側板
３ｃ    端板
３ｄ    上板
３ｅ    仕切板
４      誘虫灯
５      トレー
６      ＣＣＤカメラ
６ａ    撮像領域
６ｂ    撮像可能範囲
６ｃ    露出部分
８      制御装置
９      スイッチ
１０    通信コネクタ
１４    捕獲部
１５    撮像機器収容部
１６    開口部
１８    粘着性シート
１８ａ  上面
１８ｂ  下面
２０    セット部
２３    上部導光板
２４    下部導光板
３１    転送装置
３２    サーバー
３３    通信ネットワーク
３４    監視装置
８１    ＣＰＵ
８２    メモリ
８３    送受信部
８４    撮像制御部
８５    照明制御部
８６    コネクタ
８７    電源
【図１】
0005759929.tif 000002
【図２】
0005759929.tif 000003
【図３】
0005759929.tif 000004
【図４】
0005759929.tif 000005